(57)【要約】【課題】本開示は、排水ポンプを備えた洗濯機において、排水時の異音を抑止できる洗濯機を提供する。【解決手段】洗濯水循環用の循環ポンプ２１は、排水口１７と排水ポンプ２０を接続する接続ホース４０から分岐した循環接続ホース４１に接続されるとともに、排水ポンプ２０は、上流側に異物捕集用のフィルター２０１を配設し、下流側に排水方向と逆向きの流れを遮断する逆止弁１８を配設する構成とすることにより、排水ポンプ２０が排水管１９に一度排出した排水は排水ポンプ２０に戻ることは無く、排水ポンプ２０内の水が一旦無くなれば排水ポンプ２０は空転音のみを発生することで、エア噛みなどの異音を低減することができ、さらに、循環ポンプ２１動作時は、糸屑など異物捕集用のフィルター２０１に排水方向と逆の水流が発生することにより、排水ポンプ２０への糸屑つまりを防止することができる。【選択図】図２
2020068926.tif 000002
【特許請求の範囲】
【請求項１】
本体と、前記本体内に揺動自在に防振支持された水槽と、前記水槽内に回転自在に設けられ洗濯物を収容する洗濯槽と、前記洗濯槽を回転駆動するモータと、前記水槽内に給水する給水弁と、前記水槽内の水を、排水管を介して機外高所へ排水する排水ポンプと、前記水槽の下部に設けた排水口と、前記排水口と前記排水ポンプを接続する接続ホースとを備え、前記排水ポンプは、下流側に排水方向と逆向きの流れを遮断する逆止弁を配設した洗濯機。
【請求項２】
前記水槽内の水を、循環ホースを介して前記水槽上部の循環ポンプ吐出口から槽内へ循環する循環ポンプを備え、前記循環ポンプは、前記接続ホースから分岐した循環接続ホースに接続されるとともに、前記排水ポンプは、上流側に異物捕集用のフィルターが配設された請求項１に記載の洗濯機。
【請求項３】
前記逆止弁は、前記本体の外装側に配設した請求項１又は２に記載の洗濯機。
【発明の詳細な説明】
【技術分野】
【０００１】
本開示は、排水ポンプを備えた洗濯機に関する。
【背景技術】
【０００２】
従来、排水ポンプを備えた洗濯機において、排水ポンプに空気が混入することで騒音が発生するエア噛みという課題があり、混入した空気を排出する洗濯機が提案されている（例えば、特許文献１参照）。
【０００３】
図６は、特許文献１に記載された従来の洗濯機の縦断面図を示すものである。
【０００４】
図６において、洗濯水を溜めるための外槽３０３が、外枠３０１からスプリング付の吊り棒（図示せず）で垂下防振支持され、外槽３０３内には、洗濯物を収容するための内槽３０４が回転自在に設けられている。外槽３０３の底部には、洗濯水を機外へ排出するための排水口３０９が形成されており、排水口３０９は、排水ポンプ３１０の吸込口に接続管３１１を介して連通されている。排水ポンプ３１０の吐出口には、機外へとつながる排水ホース３１３が接続されており、排水ポンプ３１０を駆動することにより、外槽３０３内に溜められた洗濯水を排水口３０９、接続管３１１、排水ポンプ３１０、排水ホース３１３を通じて、機外へ排水できる。
【０００５】
以上の構成において、脱水行程の開始後に、排水ポンプ３１０の駆動を所定の短時間(たとえば２〜４秒)停止する。これにより、排水ポンプ３１０内に水を溜めて、排水ポンプ３１０に流入した空気を排出する。
【先行技術文献】
【特許文献】
【０００６】
【特許文献１】特開２０００−０１４９６４号公報
【発明の概要】
【発明が解決しようとする課題】
【０００７】
本開示は、排水ポンプを備えた洗濯機において、排水時の異音を抑止できる洗濯機を提供する。
【課題を解決するための手段】
【０００８】
前記従来の課題を解決するために、本発明の洗濯機は、本体と、前記本体内に揺動自在に防振支持された水槽と、前記水槽内に回転自在に設けられ洗濯物を収容する回転ドラムと、前記回転ドラムを回転駆動するモータと、前記水槽内に給水する給水弁と、前記水槽内の水を、排水管を介して機外高所へ排水する排水ポンプと、前記水槽内の水を、循環ホースを介して前記水槽上部の循環ポンプ吐出口から槽内へ循環する循環ポンプと、前記水槽の背面側下部に設けた排水口と、前記排水口と前記排水ポンプを接続する接続ホースとを備え、前記循環ポンプは、前記接続ホースから分岐した循環接続ホースに接続されるとともに、前記排水ポンプは、上流側に糸屑など異物捕集用のフィルターを配設し、下流側に排水方向と逆向きの流れを遮断する逆止弁を配設する構成としたものある。
【発明の効果】
【０００９】
本開示の洗濯機は、排水ポンプにおける排水時の異音の発生を抑止できる。
【図面の簡単な説明】
【００１０】
【図１】本発明の実施の形態における洗濯機の外観斜視図
【図２】同洗濯機の概略縦断面図
【図３】同洗濯機のブロック回路図
【図４】同洗濯機の排水ポンプユニットの斜視図
【図５】同洗濯機の排水ポンプ動作を示す動作説明図
【図６】従来の洗濯機の縦断面図
【発明を実施するための形態】
【００１１】
以下、発明の実施の形態について、図面を参照しながら説明する。なお、この実施の形態によって本発明が限定されるものではない。
【００１２】
（実施の形態１）
図１は、本発明の実施の形態における洗濯機の外観斜視図、図２は、同洗濯機の概略縦断面図、図３は、同洗濯機のブロック回路図、図４は、同洗濯機の排水ポンプユニットの斜視図、図５は、同洗濯機の排水ポンプ動作を示す動作説明図である。
【００１３】
図１、図２、図３、図４において、本体１内に、下方のダンパー（図示せず）と上方のばね体１６により揺動自在に防振支持された水槽１１には、衣類を収容する回転ドラム１０が回転自在に内包されている。
【００１４】
回転ドラム１０の外周壁に設けられた通水孔１４は、水槽１１内の洗濯水が回転ドラム１０の内外に通過できるようになっている。また、回転ドラム１０の内壁面には、衣類攪拌用の突起部１３が複数設けられている。
【００１５】
モータ１２は、水槽１１の背面側に取り付けられており、水槽１１内の回転ドラム１０を正転、逆転方向に回転駆動する。
【００１６】
また、モータ１２には、その回転数を検知して回転ドラム１０の回転を検知する回転数検知手段３５が設けられている。
【００１７】
また、水槽１１には、水槽１１に生ずる加速度とその向きを検知して、水槽１１の振動値を検知する水槽振動検知手段３６が設けられている。
【００１８】
水槽１１前面側に設けられた投入口７は、本体１の正面側に配設された扉体３により開閉自在に閉塞され、扉体３を開放することにより、投入口７より回転ドラム１０内に衣類の出し入れができるようになっている。また、投入口７と水槽１１との間には、環状パッキン８が配設されており、衣類が挟まったり、水が漏れたりすることを防止している。
【００１９】
本体１の前面側上部には、操作部４と、操作部４に隣接して配置された表示部５を有する操作表示部２８が配設されており、運転コース等のモードや各種機能の選択は、使用者が操作部４へ入力して行い、その入力情報を基に、その選択結果や選択した洗濯コースが完了するまでの時間情報、各種洗濯行程進行状況、洗濯完了情報等を表示部５に表示して使用者に知らせる。
【００２０】
水槽１１の上部側には、洗剤を収容するための洗剤収容部２６が配設されており、洗剤収容部２６は、本体１前面側から引き出し自在で、液体仕上剤投入部４３を有する洗剤収容容器６と、給水弁２５と接続された給水部材３０と、給水弁２５からの給水を洗剤収容容器６に供給する送水部材３１とで構成されている。なお、給水弁２５は、本体１の上面に一部が露出しており、図示しない給水ホースで水道蛇口と接続されている。
【００２１】
運転時には、洗剤収容容器６を引き出して洗剤を必要量だけ投入しスタートすると、給水弁２５から給水部材３０、送水部材３１を経由して供給された水が、洗剤と混合されて水槽１１へ供給される。
【００２２】
水槽１１の背面側の下部には排水口１７が設けられており、接続ホース４０を介して排水ポンプ２０に接続されており、接続ホース４０から分岐した循環接続ホース４１に循環ポンプ２１が接続されている。
【００２３】
排水ポンプ２０は、その動作により水槽１１内の洗濯水を、排水管１９を介して外部の高所に排水することができる。
【００２４】
循環ポンプ２１は、洗い行程時には、洗濯液を循環ホース２９を介して水槽１１上部の循環ポンプ吐出口２１５から槽内に循環させて洗浄効果を高めたり、すすぎ行程時には同様の動きですすぎ液を槽内に循環させてすすぎ効果を高めたりする。
【００２５】
排水ポンプ２０の上流側には、糸屑など異物捕集用のフィルター２０１が配設されており、排水時に洗濯水に含まれる異物を一旦洗濯水から取り除き、下流へ異物が流出することを防止している。
【００２６】
また、排水ポンプ２０の下流側には、連結管１９２を経由し本体１の外装側に逆止弁１８が配設されており、排水管１９から排水管先端部１９１側へ排水された水が逆流して排水ポンプ２０側へ戻ってくることを抑止している。
【００２７】
排水行程においては、一定時間排水動作が継続した後、排水ポンプ２０はその内部に空気が溜まって異音がしないように、排水を一次中断して排水ポンプ２０内部を満水にするが、この時、排水管先端１９１から逆止弁１８までの間に存在する排水は、逆止弁１８に戻ろうとするが、逆止弁１８は排水経路を遮断し連結管１９２側に排水が戻ることを抑止している。そして、排水ポンプ２０は、水槽１１から排出された排水で再度満たされるまで空転を行い、排水動作時に異音を発生させることは無い。
【００２８】
本体１内の上部には、プリント基板から構成され制御回路を有する制御部２７が配設されており、各入力情報を基に、モータ１２、給水弁２５、排水ポンプ２０、循環ポンプ２１などの動作を制御し、洗い、排水、すすぎ、排水、脱水などの各行程を逐次制御する。
【００２９】
電源スイッチ３３は、商用電源から本体１に供給される電力をＯＮ／ＯＦＦするものであり、使用者により操作表示部２８にて手動操作される。  水位検知手段３４は、水槽１１内の水位を検知するものであり、布量検知手段３７は、回転ドラム１０内に投入された洗濯物の布量を検知するものである。
【００３０】
図５において、循環ポンプ２１動作時の排水ポンプ２０への影響を説明する。
【００３１】
洗い動作中に、循環ポンプ２１は、循環ホース２９を介して水槽１１上部に接続された循環ポンプ吐出口２１５に洗濯水を送水する。その際、その送水する力により、フィルター２０１には排水方向と反対方向の逆水流２０２が発生し、この逆水流２０２により、フィルター２０１に付着した異物をフィルター２０１から乖離させる作用が起きる。
【００３２】
この作用により、フィルター２０１に付着した異物は次回洗濯行程後、フィルター２０１から取り除かれ、フィルター２０１が目詰まりを起こすことが無い。
【００３３】
取り除かれた異物は、循環ホース２９を介して循環ポンプ吐出口２１５から槽内に循環
され、回転ドラム１０内に設けた槽内フィルター（図示せず）により回収される。
【００３４】
また、逆止弁１８は、本体１の外装側に配置しているため、洗濯機使用者が簡易的に取り外し、再装着が容易に行える。そのため、逆止弁１８の通水異常が発生することを使用者が容易に防止することが可能である。
【００３５】
以上のように、実施の形態１における洗濯機の排水ポンプ２０は、下流側に排水方向と逆向きの流れを遮断する逆止弁１８を配設する構成とする。これにより、排水ポンプ２０が排水管１９に一度排出した排水が排水ポンプ２０に戻ることを抑止できる。そのため、排水ポンプ２０内の水が一旦無くなれば排水ポンプ２０は空転音のみを発生するので、エア噛みなどの異音を低減することができる。
【００３６】
また、実施の形態１のように、循環ポンプ２１は、排水口１７と排水ポンプ２０を接続する接続ホース４０から分岐した循環接続ホース４１に接続されるとともに、排水ポンプ２０は、上流側に糸屑など異物捕集用のフィルター２０１を配設してもよい。
【００３７】
これにより、循環ポンプ２１動作時は、糸屑など異物捕集用のフィルター２０１に排水方向と逆の水流が発生させる。そのため、排水ポンプ２０への糸屑つまりを防止することができる。
【００３８】
また、実施の形態１のように、逆止弁１８を本体１の外装側に配設してもよい。これにより、外部から清掃可能となるので、洗濯機のサービス担当者はもちろん、使用者であっても容易に清掃、修理を行うことができる。
【産業上の利用可能性】
【００３９】
本開示は、排水ポンプを備えた洗濯機に適用可能である。具体的には、縦型洗濯機、ドラム式洗濯機、二槽式洗濯機などに、本開示は適用可能である。
【符号の説明】
【００４０】
１  本体
１０  回転ドラム
１１  水槽
１２  モータ
１７  排水口
１８  逆止弁
１９  排水管
２０  排水ポンプ
２１  循環ポンプ
２５  給水弁
２９  循環ホース
４０  接続ホース
４１  循環接続ホース
２０１  フィルター
２１５  循環ポンプ吐出口
【図１】
2020068926.tif 000003
【図２】
2020068926.tif 000004
【図３】
2020068926.tif 000005
【図４】
2020068926.tif 000006
【図５】
2020068926.tif 000007
【図６】
2020068926.tif 000008